(57)【特許請求の範囲】
【請求項１】
一端側に注射筒が嵌合され他端側に針部が接続された筒状の取付部、該取付部の側面に開口部を有し、該開口部に設けられた筒状のサイドポート、および該サイドポートの先端部に装着された内外両方向に気液密な弁体からなる注射針と、
軸方向の中心部に細長棒状物が挿通される貫通穴を有し、前記弁体に着脱可能に装着
され装着時には先端部が該弁体内側に挿入されるスライダーチップとを備えてなり、前記注射針の取付部の開口部近傍に、前記細長棒状物をスライダーチップを介して前記針部に導入するガイド手段を設け、該ガイド手段を、前記弁体内側近傍から前記サイドポート内を通って前記針部が接続された取付部の他端付近まで延設し、外径が前記取付部の先端部付近の内径よりも小さいチューブ状のガイドで構成したことを特徴とするガイドワイヤー挿入具。
【請求項２】
弁体を、軸方向の中心部に導入孔を有し、該導入孔の外側に前記スライダーチップの挿入位置を示す凹部が設けられた弾性体によって構成したことを特徴とする請求項１記載のガイドワイヤー挿入具。
【請求項３】
導入孔の一部に非貫通部を設けたことを特徴とする請求項２記載のガイドワイヤー挿入具。
【発明の詳細な説明】
【０００１】
【産業上の利用分野】
この発明は、ガイドワイヤー挿入具に係り、さらに詳しくは、人体等の血管内にガイドワイヤー等の細長棒状物を挿入する際に用いる注射針等を備えたガイドワイヤー挿入具に関するものである。
【０００２】
【従来の技術】
血管内にガイドワイヤー等を挿入する際に用いるガイドワイヤー挿入具における注射針の一例として実開平３−１１４２５１号公報に開示された考案がある。
【０００３】
実開平３−１１４２５１号公報に開示された注射針は、図７および図８に示すように、注射筒３の先端取付部３ａに嵌合される取付部１と、この取付部１より伸びる針部２とを有しており、取付部１の側面には取付部１に嵌合された注射筒３の先端取付部３ａよりも先端側に開口するように、外部へ向けての血液の流れを阻止する止血弁５を有する筒状のサイドポート４が形成されている。また、止血弁５は外部からガイドワイヤー６等の細長棒状物からの押圧力を受ける際に、細長棒状物が通過可能なように、ゴムなどの薄い弾性材からなる一対の板材７，８で構成されており、互いが若干オーバーラップしてスリット９を塞ぎ血液の逆流を効果的に防止するようになっている。なお、注射筒３および取付部１は例えばポリプロピレン、ポリカーボネートなどの透明または半透明な合成樹脂から構成され、針部２は金属から構成されている。
【０００４】
また、図９において、１０はガイドワイヤー挿入補助具で、上面中心部にガイドワイヤー６の摺動部１１ａを有し、ほぼ中央部から下方に円弧状に突設され先端部にガイドワイヤー６が挿通されるディスペンサーの保持部１５を有する腕部１４を備えた本体１１と、本体１１の一端に設けられた円筒状のワイヤー支持部１２と、本体１１の他端に設けられたディスペンサー支持部１３とにより構成されている。
【０００５】
このように構成した注射針を用いて血管内にガイドワイヤー６を挿入する場合、まず、注射筒３の先端取付部３ａに取付部１を嵌合した状態で、針部２を体内に挿入し、針部２の先端部が血管内に位置したことを注射針内に血液が逆流してくることによって確認する。この時、止血弁５の作用によってサイドポート４からは血液が外部へ漏れ出ることはない。確認後、例えばガイドワイヤー挿入補助具１０を用いながらガイドワイヤー６を止血弁５を弾性変形させてサイドポート４内に挿入し、針部２を通して血管内に挿入する。そして、挿入が終了すると、注射筒３を注射針に取り付けた状態のまま注射針を体内から引き抜く。
【０００６】
【発明が解決しようとする課題】
上記のような従来の注射針は、取付部１の側面にガイドワイヤー６等の細長棒状物を通すサイドポート４が設けられているので、血液の外部への漏れや血管の損傷等を防ぎながら一度の操作で容易にガイドワイヤー６等の細長棒状物を挿入することができる。しかしながら、サイドポート４からの細長棒状物の挿入の際に、取付部１に嵌合した注射筒３の先端取付部３ａが邪魔にならないように空間Ｘが形成されているので、例えば先端部がＪ字状に曲がっているＪ型ガイドワイヤーを挿入する場合、図１０に示すように、ガイドワイヤー６の先端部６ａが空間Ｘが形成されている取付部１の周壁に当たってとぐろを巻いてしまい針部２に導けないことがあった。
【０００７】
また、ガイドワイヤー６等の血管内への挿入において、挿入の途中からガイドワイヤー６を直接手指で摘んで血管内での微妙な感触を得ながら挿入することがある。この場合、止血弁５は外部への血液の漏れを防ぐものの、止血弁５の抵抗によって血管内での微妙な感触が得られなかったり、可撓性を有するガイドワイヤー６等が円滑に止血弁５を通過できないなどの問題があった。
【０００８】
この発明は、上記のような課題を解決するためになされたもので、ガイドワイヤー等の細長棒状物を容易かつ円滑に挿入できる操作性および安全性の高いガイドワイヤー挿入具を提供することを目的としたものである。また、血管内に挿入された細長棒状物の血管内での微妙な感触を得ながら充実した挿入操作を行うことができるガイドワイヤー挿入具を提供することを目的としたものである。
【０００９】
【課題を解決するための手段】
この発明に係るガイドワイヤー挿入具は、一端側に注射筒が嵌合され他端側に針部が接続された筒状の取付部、取付部の側面に開口部を有し、この開口部に設けられた筒状のサイドポート、およびサイドポートの先端部に装着された内外両方向に気液密な弁体からなる注射針と、軸方向の中心部にガイドワイヤー等の細長棒状物が挿通される貫通穴を有し、弁体に着脱可能に装着され装着時には先端部が弁体内側に挿入されるスライダーチップとを備えてなり、注射針の取付部の開口部近傍に、細長棒状物をスライダーチップを介して針部に導入するガイド手段を設け、このガイド手段を、弁体内側近傍からサイドポート内を通って針部が接続された取付部の他端付近まで延設し、外径が取付部の先端部付近の内径よりも小さいチューブ状のガイドで構成したものである。
【００１２】
また、弁体を、軸方向の中心部に導入孔を有し、導入孔の外側にスライダーチップの挿入位置を示す凹部が設けられた弾性体によって構成したものである。
【００１４】
また、導入孔の一部に非貫通部を設けたものである。
【００１６】
【作用】
注射筒が取付部に嵌合されている注射針の針部を体内に挿入し、血管内に位置したことが確認されると、ガイドワイヤー挿入補助具に装着されたスライダーチップまたはスライダーチップのみを弁体に挿入して装着し、細長棒状物が通過する挿通路を確保する。そして、細長棒状物をスライダーチップおよびガイド手段を介して針部へと導き、血管内に挿入する。この時、細長棒状物はガイド手段によって確実に針部へと導かれるとともに、スライダーチップによって弁体の抵抗が遮断されて充実した挿入操作が行える。
【００１７】
また、弁体を、軸方向の中心部に導入孔を有し、導入孔の外側にスライダーチップの挿入位置を示す凹部が設けられた弾性体によって構成することにより、スライダーチップを所定の位置に確実に挿入される。
【００１９】
また、導入孔の一部に非貫通部を設け、あるいは、注射針の取付部の開口部近傍に、細長棒状物をスライダーチップを介して針部に導入するガイド手段を設けることにより、スライダーチップおよび細長棒状物の挿入を確実にする。
【００２１】
【実施例】
実施例１．
図１はこの発明の第１の実施例の断面図である。なお、図７〜９で説明した従来例と同一部分には同じ符号を付し、説明を省略する。
【００２２】
図において、１６は注射針Ａのサイドポート４の止血弁５が設けられた端部の内側近傍から針部２が取り付けられている取付部１の先端付近まで延設したガイドワイヤー６等の細長棒状物を針部２に導くチューブ状のガイドで、例えばポリプロピレン、ポリエチレンなどの合成樹脂からなり、ガイド１６の外径Ｄ２は取付部１の先端付近の内径Ｄ１よりも小さく、Ｄ１＞Ｄ２に形成されていて、注射筒３からの薬液がガイド１６の自由端１６ａ側の外周に形成された間隙Ｙを通って針部２へ送られるように構成されている。
【００２３】
１７は円錐状に形成され軸方向の中心部にガイドワイヤー６等の細長棒状物が挿通される貫通穴１７ａが設けられたスライダーチップ（またはストレートナーという）で、例えばＪ型ガイドワイヤー６を貫通穴１７ａに挿入することによってその曲がった先端部６ａを真っ直ぐに伸ばすとともに、スライダーチップ１７の縮径された先端部側を止血弁５に挿入して装着することにより止血弁５にガイドワイヤー６等が通過する挿通路を確保し、止血弁５の抵抗が遮断されるようになっている。また、スライダーチップ１７は図２に示すように、ガイドワイヤー挿入補助具１０のワイヤー支持部１２の先端に着脱可能となっている。
【００２４】
このような注射針Ａとスライダーチップ１７またはガイドワイヤー挿入補助具１０とによってガイドワイヤー挿入具は構成されている。なお、針部２のサイズは、ガイドワイヤー６等が挿通できかつ血管に穿刺する際の影響が小さい大きさである２４ゲージ〜１７ゲージ（外形が０．５５８８ｍｍ〜１．４７３ｍｍ）の範囲とするのが望ましい。
【００２５】
このように構成したガイドワイヤー挿入具を用いて血管内に例えばＪ型ガイドワイヤー６を挿入する場合、まず、注射筒３の先端取付部３ａに注射針Ａの取付部１を嵌合した状態で、針部２を体内に挿入し、針部２の先端部が血管内に位置したことを注射針Ａ内に血液が逆流してくることによって確認する。この時、止血弁５の作用によってサイドポート４からは血液が外部へ漏れ出ることはない。確認後、ガイドワイヤー挿入補助具１０に装着されたスライダーチップ１７またはスライダーチップ１７のみを止血弁５に挿入して装着し、ガイドワイヤー６が通過する挿通路を確保する。
【００２６】
ついで、ガイドワイヤー６をスライダーチップ１７を介してサイドポート４内に挿入し、ガイド１６を通って針部２へと導き、血管内に挿入する。この時、Ｊ字状に曲がったガイドワイヤー６の先端部６ａは止血弁５の抵抗を受けることなくガイド１６に沿って伸び、確実に針部２へと導かれる。そして、挿入が終了すると、注射筒３およびスライダーチップ１７を注射針Ａに取り付けた状態のまま注射針Ａを体内から引き抜く。
【００２７】
このように、取付部１内にガイド１６を設けたガイドワイヤー挿入具としたので、ガイドワイヤー６を確実にかつ円滑に針部２へと導くことができ、操作が容易となる。また、挿入時において、スライダーチップ１７によって止血弁５の抵抗を遮断しているので、血管内に挿入されたガイドワイヤー６の血管内での微妙な感触を得ることができ、血管内でのガイドワイヤー６の迷入を防ぎ充実した挿入操作を行うことができる。
【００２８】
なお、上述の実施例ではガイド１６をポリプロピレンなどの表面硬度が大きく傷つきにくい材料で構成した場合を示したが、例えば可撓性を有する合成樹脂材料などで構成してもよい。
【００２９】
実施例２．
図３はこの発明の第２の実施例の断面図である。この実施例は、第１の実施例のガイド１６に代えて、一方の端部がガイドワイヤー６等を針部２へ導くための通路１９を形成するように傾斜され、軸方向の中心部に傾斜部１８ａ側が縮径するテーパー状の薬液用貫通孔１８ｂを有する筒状の閉塞体１８を取付部１の空間Ｘの注射筒が嵌合される側に設けたもので、例えばポリプロピレン、ポリカーボネートなどの合成樹脂からなり、貫通孔１８ｂの縮径した先端部の開口の大きさは、ガイドワイヤー６等の細長棒状物が挿通されない大きさに形成されている。なお、ガイドワイヤー６等の挿入時にはスライダーチップを用いる。
【００３０】
このように構成したことにより、実施例１とほぼ同じ作用および効果が得られ、サイドポート４内に挿入されたガイドワイヤー６は通路１９内で伸ばされながら通路１９に沿って針部２の方向に進み、確実に針部２へと導かれる。これにより、挿入操作が容易となり操作性が向上する。
【００３１】
実施例３．
図４はこの発明の第３の実施例の要部の拡大図で、この実施例は、第１の実施例の止血弁５に代えて、軸方向の中心部に非貫通部を残した導入孔２０ａを有し、その導入孔２０ａの外側にスライダーチップの挿入位置を示す凹部２１が設けられた例えばゴムなどの弾性体からなる肉厚な止血弁２０をサイドポート４の先端部を覆うように設けたものである。なお、止血弁２０は内外両方向に対して気液密になっている。
【００３２】
このように構成したこの実施例においても、実施例１で説明した場合と同様に注射針Ａの針部２を体内に挿入して血管内に位置したことを確認すると、スライダーチップを止血弁２０の凹部２１から非貫通部を貫通させながら止血弁２０に挿入して装着する。この時、スライダーチップの先端部は止血弁２０の凹部２１によって挿入位置が位置決めされるので、スライダーチップを導入孔２０ａに確実に挿入することができる。そして、ガイドワイヤー６をスライダーチップおよびガイド１６を介して針部２へと導いて針部２から血管内へと挿入し、挿入後、注射筒３等を注射針Ａに取り付けた状態のまま注射針Ａを体内から引き抜く。
【００３３】
このように、注射針Ａのサイドポート４の先端部に凹部２１を有する止血弁２０を設けたガイドワイヤー挿入具としたことにより、スライダーチップを簡単かつ確実に止血弁２０に装着することができ、一層操作性を向上することができる。
【００３４】
なお、上述の実施例では止血弁２０に非貫通部を残した導入孔２０ａを設けた場合を示したが、非貫通部を残さずに切り込み等を入れて貫通された導入孔を設けてもよい。
また、この発明は実施例２にも実施することができ、この場合も同様の効果を奏する。
【００３５】
実施例４．
図５はこの発明の第４の実施例の要部の拡大図で、この実施例は、第１の実施例のサイドポート４およびガイド１６を省略して取付部１の針部２側の先端部近傍にガイドワイヤー６等を挿入する開口部２２を設けるとともに、この開口部２２を覆うように非貫通部を残しかつ針部２側へ傾斜して形成された導入孔２３ａを有する止血弁２３を設けたものである。なお、止血弁２３は例えばゴムなどの弾性体から構成されており、気液密になっている。
【００３６】
このように構成したこの実施例においても、実施例３で説明した場合と同様にスライダーチップ１７を止血弁２３の非貫通部を貫通させながら導入孔２３ａに挿入して装着し、ガイドワイヤー６の挿通路を確保する。この時、スライダーチップ１７は針部２側の方向に向かって挿入され、スライダーチップ１７の先端部１７ｂは針部２の取付部分近傍に位置する。そして、ガイドワイヤー６をスライダーチップ１７に挿入すると、スライダーチップ１７内で真っ直ぐ伸びながら針部２へ導かれ、針部２から血管内へと挿入される。挿入後、注射筒等を注射針Ａに取り付けた状態のまま注射針Ａを体内から引き抜く。
【００３７】
このように、取付部１の針部２側の先端部近傍に止血弁２３を有する開口部２２を設けた注射針Ａを備えたガイドワイヤー挿入具としたことにより、スライダーチップ１７を止血弁２３に簡単に装着できるとともに、装着したスライダーチップ１７をガイドワイヤー６の針部２へのガイドとすることができるので、簡単な構造でかつ確実にガイドワイヤー６等の挿入を行うことができる。
【００３８】
なお、上述の実施例ではガイド１６を省略した場合を示したが、止血弁２３の内側の導入孔２３ａの位置から針部２が取り付けられている取付部１の先端付近まで延設したガイドを設けてもよく、また、実施例２の閉塞体を設けてもよい。また、止血弁２３を一定の厚さに構成した場合を示した、これに限定するものではなく、図６に示すように、導入孔２４ａの両端部に凹部２５を設けて導入孔２４ａ部分を肉薄に構成し、外側の凹部２５によってスライダーチップ１７の挿入位置を位置決めするとともに、肉薄に構成した導入孔２４ａによってスライダーチップ１７の挿入を一層容易にするようにしてもよい。
【００３９】
【発明の効果】
以上のようにこの発明に係るガイドワイヤー挿入具は、一端側に注射筒が嵌合され他端側に針部が接続された筒状の取付部、取付部の側面に開口部を有し、この開口部に設けられた筒状のサイドポート、およびサイドポートの先端部に装着された内外両方向に気液密な弁体からなる注射針と、軸方向の中心部にガイドワイヤー等の細長棒状物が挿通される貫通穴を有し、弁体に着脱可能に装着され装着時には先端部が弁体内側に挿入されるスライダーチップとを備えてなり、注射針の取付部の開口部近傍に、細長棒状物をスライダーチップを介して針部に導入するガイド手段を設け、このガイド手段を、弁体内側近傍からサイドポート内を通って針部が接続された取付部の他端付近まで延設し、外径が取付部の先端部付近の内径よりも小さいチューブ状のガイドで構成したので、ガイドワイヤー等の細長棒状物を確実に針部へと導くことができるとともに、血管内に挿入された細長棒状物の血管内での微妙な感触を得ながら充実した挿入操作を行うことができ、操作性の高いガイドワイヤー挿入具を得ることができる。また、ガイド手段の存在にもかかわらず、注射筒からの薬液が、ガイドの自由端側の外周に形成された間隙を通って容易に針部へ送られることになる。
【００４０】
また、弁体を、軸方向の中心部に導入孔を有し、導入孔の外側にスライダーチップの挿入位置を示す凹部が設けられた弾性体によって構成したので、スライダーチップを所定の位置に確実に挿入することができ、操作性を向上することができる。
【００４２】
また、注射針の取付部の開口部近傍に、細長棒状物をスライダーチップを介して針部に導入するガイド手段を設けたので、スライダーチップおよび細長棒状物の挿入をより確実に行うことができる。
【図面の簡単な説明】
【図１】この発明の第１の実施例の断面図である。
【図２】この発明の第１の実施例に係るガイドワイヤー挿入補助具の外観図である。
【図３】この発明の第２の実施例の断面図である。
【図４】この発明の第３の実施例の要部の拡大図である。
【図５】この発明の第４の実施例の要部の拡大図である。
【図６】図５の変形例を示す要部の拡大図である。
【図７】従来の注射針の構成図である。
【図８】図７の要部の拡大図である。
【図９】ガイドワイヤー挿入補助具の外観図である。
【図１０】従来の注射針の作用図である。
【符号の説明】
１  取付部
２  針部
３  注射筒
４  サイドポート
５，２０，２３，２４  止血弁
６  ガイドワイヤー
１０  ガイドワイヤー挿入補助具
１６  ガイド
１７  スライダーチップ
１７ａ  貫通穴
１８  閉塞体
１８ａ  傾斜部
１８ｂ  貫通孔
１９  通路
２０ａ，２３ａ，２４ａ  導入孔
２１，２５  凹部
２２  開口部
Ａ  注射針
【図１】
0003760389.tif 000002
【図２】
0003760389.tif 000003
【図３】
0003760389.tif 000004
【図４】
0003760389.tif 000005
【図５】
0003760389.tif 000006
【図６】
0003760389.tif 000007
【図７】
0003760389.tif 000008
【図８】
0003760389.tif 000009
【図９】
0003760389.tif 000010
【図１０】
0003760389.tif 000011